(57)【要約】【課題】強盗に係る情報を提供することが可能な防犯装置、及び防犯システムを提供する。【解決手段】本発明における防犯装置１は、景品読取装置３０から景品読取情報を受信する。また、防犯装置１は、撮影部２０から撮影情報を受信する。そして、防犯装置１は、景品読取装置３０から受信した景品読取情報と、撮影部２０から受信した撮影情報を外部に送信する処理を行う。これにより、強盗により現金が盗まれてしまった場合に、強盗に係る情報を提供することが可能な防犯装置、及び防犯システムを提供することができる。【選択図】図１
2020182678.tif 000002
【特許請求の範囲】
【請求項１】
景品を読み取る景品読取装置から景品読取情報を受信する処理を行う景品読取情報受信手段と、
前記景品を売却する売却者を撮影する撮影装置から撮影情報を受信する処理を行う撮影情報受信手段と、
前記景品読取情報受信手段により受信した前記景品読取情報を外部に送信する処理を行う景品読取情報送信手段と、
前記撮影情報受信手段により受信した前記撮影情報を外部に送信する処理を行う撮影情報送信手段と、
を備えたことを特徴とする防犯装置。
【請求項２】
景品を読み取る景品読取装置から景品読取情報を受信する景品読取情報受信手段と、
前記景品を売却する売却者を撮影する撮影装置から撮影情報を受信する撮影情報受信手段と、
前記景品読取情報受信手段から受信した前記景品読取情報と、前記撮影情報受信手段から受信した前記撮影情報とを紐付けることにより紐付情報を生成する処理を行う紐付情報生成手段と、
前記紐付情報生成手段により生成された前記紐付情報を外部に送信する処理を行う紐付情報送信手段と、
を備えたことを特徴とする防犯装置。
【請求項３】
景品を読み取る景品読取装置と、
前記景品を売却する売却者を撮影する撮影装置と、
前記景品読取装置が前記景品を読み取ることにより生成される景品読取情報と、前記撮影装置が前記売却者を撮影することにより生成される撮影情報とを受信する防犯装置と、
前記防犯装置から受信した前記景品読取情報と、前記撮影情報とを記憶するサーバと、
を備えた防犯システムであって、
前記サーバは、
前記防犯装置から受信した前記景品読取情報と、前記撮影情報とを紐付けて記憶する処理を行うことを特徴とする防犯システム。
【請求項４】
景品を読み取る景品読取装置と、
前記景品を売却する売却者を撮影する撮影装置と、
前記景品読取装置が前記景品を読み取ることにより生成される景品読取情報と、前記撮影装置が前記売却者を撮影することにより生成される撮影情報とを受信する防犯装置と、
前記防犯装置から受信した前記景品読取情報と、前記撮影情報とを記憶するサーバと、
を備えた防犯システムであって、
前記防犯装置は、
前記景品読取装置から受信した前記景品読取情報と、前記撮影装置から受信した前記撮影情報とを紐付けることにより紐付情報を生成する処理を行ってから、前記サーバに対して前記紐付情報を送信する処理を行うことを特徴とする防犯システム。
【発明の詳細な説明】
【技術分野】
【０００１】
本発明は、景品の買取を行う景品買取所に設置される防犯装置や、防犯システムに関する。
【背景技術】
【０００２】
従来、遊技店においては、遊技者が獲得した遊技媒体と交換可能な景品を取り扱っている。ここで、遊技者は、遊技媒体と景品を交換し、この景品を売却するために、景品買取所に景品を持参することとなる。そして、景品買取所は、遊技者が持参した景品を買い取ることとなる。
【０００３】
ここで、景品買取所は、多数の景品を買取可能とするために、多額の現金を準備しておく必要がある。このため、強盗による被害が後を絶えないという問題点がある。
【０００４】
この問題点に対して、強盗による被害を減少させることが可能な景品計数省力化システムが知られている（例えば、特許文献１）。この景品計数省力化システムは、景品を計数する計数機と、この計数機により計数された景品に対応する金額を払い出す現金払出機を備えており、現金払出機に設けられている現金払出部は、紙幣と硬貨が払い出された状態で開放される。これにより、景品買取所の店員が不在であっても景品の買取を行うことができるので、景品買取所の店員の強盗被害を防止することができる。
【先行技術文献】
【特許文献】
【０００５】
【特許文献１】特開２００４−０２４４８９号
【発明の概要】
【発明が解決しようとする課題】
【０００６】
しかしながら、上述した景品計数省力化システムは、店員と、景品を売却する売却者との直接的な現金のやり取りが不要となることから、景品買取所の店員の強盗被害を防止することができるものの、現金払出機が破壊されることにより、現金を盗まれてしまうおそれがある。
【０００７】
そして、上述した景品計数省力化システムは、景品買取所の店員が不在であっても景品の買取が可能となるため、景品買取所の店員が不在の場合において、現金が盗まれてしまった場合に、強盗を捕まえることが困難となってしまうという問題点がある。
【０００８】
本発明は、係る問題点に鑑み、強盗に係る情報を提供することが可能な防犯装置、及び防犯システムを提供することを目的とする。
【課題を解決するための手段】
【０００９】
このような課題を解決するために、本発明に係る防犯装置は、景品を読み取る景品読取装置から景品読取情報を受信する処理を行う景品読取情報受信手段と、前記景品を売却する売却者を撮影する撮影装置から撮影情報を受信する処理を行う撮影情報受信手段と、前記景品読取情報受信手段により受信した前記景品読取情報を外部に送信する処理を行う景品読取情報送信手段と、前記撮影情報受信手段により受信した前記撮影情報を外部に送信する処理を行う撮影情報送信手段と、を備えたことを特徴とする。
【００１０】
また、本発明に係る防犯装置は、景品を読み取る景品読取装置から景品読取情報を受信する景品読取情報受信手段と、前記景品を売却する売却者を撮影する撮影装置から撮影情報を受信する撮影情報受信手段と、前記景品読取情報受信手段から受信した前記景品読取情報と、前記撮影情報受信手段から受信した前記撮影情報とを紐付けることにより紐付情報を生成する処理を行う紐付情報生成手段と、前記紐付情報生成手段により生成された前記紐付情報を外部に送信する処理を行う紐付情報送信手段と、を備えたことを特徴とする。
【００１１】
また、本発明に係る防犯システムは、景品を読み取る景品読取装置と、前記景品を売却する売却者を撮影する撮影装置と、前記景品読取装置が前記景品を読み取ることにより生成される景品読取情報と、前記撮影装置が前記売却者を撮影することにより生成される撮影情報とを受信する防犯装置と、前記防犯装置から受信した前記景品読取情報と、前記撮影情報とを記憶するサーバと、を備えた防犯システムであって、前記サーバは、前記防犯装置から受信した前記景品読取情報と、前記撮影情報とを紐付けて記憶する処理を行うことを特徴とする。
【００１２】
また、本発明に係る防犯システムは、景品を読み取る景品読取装置と、前記景品を売却する売却者を撮影する撮影装置と、前記景品読取装置が前記景品を読み取ることにより生成される景品読取情報と、前記撮影装置が前記売却者を撮影することにより生成される撮影情報とを受信する防犯装置と、前記防犯装置から受信した前記景品読取情報と、前記撮影情報とを記憶するサーバと、を備えた防犯システムであって、前記防犯装置は、前記景品読取装置から受信した前記景品読取情報と、前記撮影装置から受信した前記撮影情報とを紐付けることにより紐付情報を生成する処理を行ってから、前記サーバに対して前記紐付情報を送信する処理を行うことを特徴とする。
【発明の効果】
【００１３】
本発明によれば、強盗に係る情報を提供することが可能な防犯装置、及び防犯システムを提供することができる。
【図面の簡単な説明】
【００１４】
【図１】第１実施形態における防犯装置の外観図を示す図である。
【図２】第１実施形態における防犯装置のブロック図を示す図である。
【図３】第１実施形態における防犯管理ＤＢの各格納領域を示す図である。
【図４】第１実施形態における防犯装置の処理を示す図である。
【図５】第１実施形態における撮影部の処理を示す図である。
【図６】第１実施形態における景品読取装置の処理を示す図である。
【図７】第１実施形態における防犯管理サーバの処理を示す図である。
【図８】防犯管理サーバの情報の送信先の一例を示す図である。
【図９】第１実施形態における防犯装置の設置場所を示す図である。
【図１０】複数の防犯装置と接続された防犯管理サーバの一例を示す図である。
【図１１】第２実施形態における防犯装置の処理を示す図である。
【図１２】第２実施形態における防犯管理サーバの処理を示す図である。
【図１３】防犯装置の外観図の変形例を示す図である。
【図１４】防犯管理ＤＢの変形例を示す図である。
【図１５】防犯装置の設置場所の変形例を示す図である。
【図１６】複数の防犯装置と接続された防犯管理サーバの第１変形例を示す図である。
【図１７】複数の防犯装置と接続された防犯管理サーバの第２変形例を示す図である。
【図１８】防犯管理サーバの情報の送信先の変形例を示す図である。
【発明を実施するための形態】
【００１５】
以下、本発明の実施形態について図面を参照しながら具体的に説明する。
【００１６】
（第１実施形態）
図１から図１０を用いて、第１実施形態について説明する。
【００１７】
（防犯装置１の外観図）
まず、図１を用いて、防犯装置１について説明を行う。
【００１８】
（防犯装置１）
防犯装置１は、表示部２と、操作部３と、電源部４とを備えている。
【００１９】
（表示部２）
表示部２は、防犯装置１に必要な情報を表示するために設けられている。具体的には、防犯装置１のエラー情報や、初期画面等を表示するために設けられている。
【００２０】
（操作部３）
操作部３は、防犯装置１が設置されている景品買取所に係る店舗情報を入力するために設けられている。ここで、本実施形態において、操作部３は、第１操作部３ａと、第２操作部３ｂと、第３操作部３ｃとにより構成されている。
【００２１】
（電源部４）
電源部４は、防犯装置１に電力を供給するために設けられている。ここで、電源がＯＦＦの状態において、電源部４の操作が行われると、電源がＯＦＦからＯＮとなる。一方で、電源がＯＮの状態において、電源部４の操作が行われると、電源がＯＮからＯＦＦとなる。
【００２２】
（防犯装置１のブロック図）
次に、図２を用いて、防犯装置１のブロック図について説明を行う。
【００２３】
防犯装置１は、表示部２と、操作部３と、電源部４と、ＣＰＵ６、ＲＯＭ７、及びＲＡＭ８からなる制御部５と、計時部９とを備えている。また、防犯装置１は、撮影部２０と、景品読取装置３０と、防犯管理システム４０と接続されている。
【００２４】
（ＣＰＵ６）
ＣＰＵ６は、防犯装置１の制御を行うために設けられており、ＲＯＭ７に記憶されているプログラムを読み込み、所定の演算処理を行うことにより、表示部２、防犯管理システム４０に対して所定の信号を送信する。また、ＣＰＵ６は、操作部３、電源部４、撮影部２０、景品読取装置３０から所定の信号を入力し、入力した信号に応じた処理を行う。
【００２５】
（ＲＯＭ７）
ＲＯＭ７は、ＣＰＵ６により実行される制御プログラム、データテーブル、表示部２や、防犯管理システム４０に対して信号を送信するためのデータ等を記憶するために設けられている。
【００２６】
（ＲＡＭ８）
ＲＡＭ８は、ＣＰＵ６によるプログラムの実行により決定された各種データを記憶するために設けられている。
【００２７】
（計時部９）
計時部９は、現在の時刻を計時するために設けられている。ここで、計時部により計時された時間情報は、防犯管理サーバ４１に対して送信されることとなる。
【００２８】
（撮影部２０）
撮影部２０は、景品買取所に来た者（以下、「来客者」という。）を撮影するために設けられている。ここで、撮影部２０は、来客者を撮影した撮影情報を防犯装置１に対して送信する機能を有している。
【００２９】
（景品読取装置３０）
景品読取装置３０は、来客者が持参した景品を読み取るための装置である。ここで、景品読取装置３０は、景品買取所で買い取られた景品に係る景品情報や、景品読取装置３０の個体識別ＩＤに係る情報を含む景品読取装置情報を、防犯装置１に対して送信する機能を有している。
【００３０】
（防犯管理システム４０）
防犯管理システム４０は、防犯管理サーバ４１と、防犯管理ＤＢ４２とにより構成されている。
【００３１】
（防犯管理サーバ４１）
防犯管理サーバ４１は、防犯装置１から受信した撮影情報や、景品読取情報を防犯管理ＤＢ４２に記憶する処理を行うために設けられている。
【００３２】
（防犯管理ＤＢ４２）
防犯管理ＤＢ４２は、防犯装置から受信した撮影情報や、景品読取情報を記憶するために設けられている。
【００３３】
（防犯管理ＤＢ４２の各格納領域）
次に、図３を用いて、防犯管理ＤＢ４２の各格納領域について説明を行う。
【００３４】
防犯管理ＤＢ４２には、時間情報格納領域４２ａと、店舗情報格納領域４２ｂと、景品読取装置情報格納領域４２ｃと、景品情報格納領域４２ｄと、顔画像情報格納領域４２ｅとが設けられている。
【００３５】
（時間情報格納領域４２ａ）
時間情報格納領域４２ａは、撮影情報や、景品読取情報を受信した時間に係る時間情報を記憶するために設けられている。
【００３６】
（店舗情報格納領域４２ｂ）
店舗情報格納領域４２ｂは、防犯管理サーバ４１に対して送信した防犯装置１が設置されている景品買取所に係る店舗情報を記憶するために設けられている。
【００３７】
（景品読取装置情報格納領域４２ｃ）
景品読取装置情報格納領域４２ｃは、防犯装置１と接続されている景品読取装置３０の個体識別ＩＤに係る景品読取装置情報を記憶するために設けられている。
【００３８】
（景品情報格納領域４２ｄ）
景品情報格納領域４２ｄは、景品買取所で買い取られた景品に係る景品情報を記憶するために設けられている。
【００３９】
（顔画像情報格納領域４２ｅ）
顔画像情報格納領域４２ｅは、来客者の顔画像に係る顔画像情報を記憶するために設けられている。
【００４０】
ここで、時間情報格納領域４２ａに記憶される時間情報と、店舗情報格納領域４２ｂに記憶される店舗情報と、景品読取装置情報格納領域４２ｃに記憶される景品読取装置情報と、景品情報格納領域４２ｄに記憶される景品情報と、顔画像情報格納領域４２ｅに記憶される顔画像情報とは、紐付いて記憶されている。
【００４１】
例えば、「Ｎｏ．０００００００１」には、時間情報格納領域４２ａに記憶されている時間情報「２０１９／０１／０１  １１：３０」と、店舗情報格納領域４２ｂに記憶されている店舗情報「Ａ店」と、景品読取装置情報格納領域４２ｃに記憶されている景品読取装置情報「０００００００１」と、景品情報格納領域４２ｄに記憶されている景品情報「０００００１２３」と、顔画像情報格納領域４２ｅに記憶されている顔画像情報「０００００００００１．ｊｐｇ」とは紐付いて記憶される。
【００４２】
これにより、景品を買い取った時間、景品を買い取った景品買取所、買い取った景品を読み取った景品読取装置３０、買い取った景品、及び景品を売却した顔画像を紐付けて記憶することができる。
【００４３】
（防犯装置１の処理）
次に、図４を用いて、防犯装置１の処理について説明を行う。
【００４４】
（ステップＳ１）
ステップＳ１において、ＣＰＵ６は、電源がＯＮとなったか否かを判定する処理を行う。具体的には、ＣＰＵ６は、電源がＯＦＦの状態で、電源部４の操作を検出したか否かを判定する処理を行う。そして、電源がＯＮとなったと判定された場合には（ステップＳ１＝ＹＥＳ）、ステップＳ２に処理を移行する。一方で、電源がＯＮとなっていないと判定された場合には（ステップＳ１＝ＮＯ）、電源がＯＮとなるまでステップＳ１の処理を繰り返し実行することとなる。
【００４５】
（ステップＳ２）
ステップＳ２において、ＣＰＵ６は、電源投入時処理を行う。具体的には、ＣＰＵ６は、表示部２に初期画面を表示する処理等を行う。そして、ステップＳ２の処理が終了すると、ステップＳ３に処理を移行する。
【００４６】
（ステップＳ３）
ステップＳ３において、ＣＰＵ６は、景品読取情報を受信したか否かを判定する処理を行う。具体的には、ＣＰＵ６は、景品読取装置３０から景品読取情報を受信したか否かを判定する処理を行う。そして、景品読取情報を受信したと判定された場合には（ステップＳ３＝ＹＥＳ）、ステップＳ４に処理を移行する。一方で、景品読取情報を受信していないと判定された場合には（ステップＳ３＝ＮＯ）、ステップＳ６に処理を移行する。
【００４７】
（ステップＳ４）
ステップＳ４において、ＣＰＵ６は、景品読取情報受信時処理を行う。具体的には、ＣＰＵ６は、景品読取装置３０から受信した景品読取装置情報と、景品情報とをＲＡＭ８に一時記憶する処理を行う。そして、ステップＳ４の処理が終了すると、ステップＳ５に処理を移行する。
【００４８】
ここで、ステップＳ４の景品読取情報受信時処理を行うことにより、景品読取装置情報と、景品情報とがＲＡＭ８に一時記憶された状態で防犯装置１の電源がＯＦＦになった場合には、再度、景品読取装置情報と、景品情報とを受信することなく、防犯管理サーバ４１に対して景品読取装置情報と、景品情報とを送信することができる。
【００４９】
（ステップＳ５）
ステップＳ５において、ＣＰＵ６は、景品読取情報送信処理を行う。具体的には、ＣＰＵ６は、計時部９により計時された時間情報と、防犯装置１が設置されている景品買取所に係る店舗情報と、ステップＳ４の景品読取情報受信時処理により、ＲＡＭ８に一時記憶された景品読取装置情報と、景品情報とを防犯管理サーバ４１に対して送信する処理を行う。そして、ステップＳ５の処理が終了すると、ステップＳ６に処理を移行する。
【００５０】
（ステップＳ６）
ステップＳ６において、ＣＰＵ６は、撮影情報を受信したか否かを判定する処理を行う。具体的には、ＣＰＵ６は、撮影部２０から撮影情報を受信したか否かを判定する処理を行う。そして、撮影情報を受信したと判定された場合には（ステップＳ６＝ＹＥＳ）、ステップＳ７に処理を移行する。一方で、撮影情報を受信していないと判定された場合には（ステップＳ６＝ＮＯ）、ステップＳ９に処理を移行する。
【００５１】
（ステップＳ７）
ステップＳ７において、ＣＰＵ６は、撮影情報受信時処理を行う。具体的には、ＣＰＵ６は、撮影部２０から受信した来客者の顔画像に係る顔画像情報をＲＡＭ８に一時記憶する処理を行う。そして、ステップＳ７の処理が終了すると、ステップＳ８に処理を移行する。
【００５２】
ここで、ステップＳ７の撮影情報受信時処理を行うことにより、顔画像情報がＲＡＭ８に一時記憶された状態で防犯装置１の電源がＯＦＦになった場合には、再度、顔画像情報を受信することなく、防犯管理サーバ４１に対して顔画像情報を送信することができる。
【００５３】
（ステップＳ８）
ステップＳ８において、ＣＰＵ６は、撮影情報送信処理を行う。具体的には、ＣＰＵ６は、計時部９により計時された時間情報と、防犯装置１が設置されている景品買取所に係る店舗情報と、ステップＳ７の撮影情報受信時処理により、ＲＡＭ８に一時記憶された来客者の顔画像に係る顔画像情報を防犯管理サーバ４１に対して送信する処理を行う。そして、ステップＳ８の処理が終了すると、ステップＳ９に処理を移行する。
【００５４】
（ステップＳ９）
ステップＳ９において、ＣＰＵ６は、操作部３の操作が検出されたか否かを判定する処理を行う。具体的には、ＣＰＵ６は、操作部３からの信号が入力されたか否かを判定する処理を行う。そして、ステップＳ９の処理が終了すると、ステップＳ１０に処理を移行する。
【００５５】
（ステップＳ１０）
ステップＳ１０において、ＣＰＵ６は、操作部操作時処理を行う。具体的には、ＣＰＵ６は、操作部３の操作結果に基づいて、店舗情報を登録する処理や、防犯装置１のエラーを解除する処理等を行う。そして、ステップＳ１０の処理が終了すると、ステップＳ３に処理を移行する。
【００５６】
（撮影部２０の処理）
次に、図５を用いて、撮影部２０の処理について説明を行う。
【００５７】
（ステップＳ１０１）
ステップＳ１０１において、撮影部２０は、来客者検出処理を行う。具体的には、撮影部２０は、撮影した画像から来客者を検出する処理を行う。そして、ステップＳ１０１の処理が終了すると、ステップＳ１０２に処理を移行する。
【００５８】
（ステップＳ１０２）
ステップＳ１０２において、撮影部２０は、来客者が検出されたか否かを判定する処理を行う。具体的には、撮影部２０は、ステップＳ１０１の来客者検出処理により、撮影した画像から来客者が検出されたか否かを判定する処理を行う。そして、来客者が検出されたと判定された場合には（ステップＳ１０２＝ＹＥＳ）、ステップＳ１０３に処理を移行する。一方で、来客者が検出されていないと判定された場合には（ステップＳ１０２＝ＮＯ）、ステップＳ１０１に処理を移行する。
【００５９】
（ステップＳ１０３）
ステップＳ１０３において、撮影部２０は、撮影情報送信処理を行う。具体的には、撮影部２０は、来客者の顔画像を含む撮影情報を防犯装置１に送信する処理を行う。そして、ステップＳ１０３の処理が終了すると、ステップＳ１０１に処理を移行する。
【００６０】
（景品読取装置３０の処理）
次に、図６を用いて、景品読取装置３０の処理について説明を行う。
【００６１】
（ステップＳ２０１）
ステップＳ２０１において、景品読取装置３０は、景品検出処理を行う。具体的には、景品読取装置３０は、景品が載置される載置部（図示せず）に景品が載置されたか否かを判定する処理を行う。そして、ステップＳ２０１の処理が終了すると、ステップＳ２０２に処理を移行する。
【００６２】
（ステップＳ２０２）
ステップＳ２０２において、景品読取装置３０は、景品を検出したか否かを判定する処理を行う。具体的には、景品読取装置３０は、ステップＳ２０１の景品検出処理により、載置部に景品が載置され、景品が検出されたか否かを判定する処理を行う。そして、景品が検出されたと判定された場合には（ステップＳ２０２＝ＹＥＳ）、ステップＳ２０３に処理を移行する。一方で、景品が検出されていないと判定された場合には（ステップＳ２０２＝ＮＯ）、ステップＳ２０１に処理を移行する。
【００６３】
（ステップＳ２０３）
ステップＳ２０３において、景品読取装置３０は、景品読取処理を行う。具体的には、景品読取装置３０は、載置部に載置された景品を一つずつ読み取る処理を行う。当該処理により、読み取った景品の景品情報を取得することとなる。そして、ステップＳ２０３の処理が終了すると、ステップＳ２０４に処理を移行する。
【００６４】
（ステップＳ２０４）
ステップＳ２０４において、景品読取装置３０は、読取が完了したか否かを判定する処理を行う。具体的には、景品読取装置３０は、ステップＳ２０３の景品読取処理により、載置部に載置された景品の読み取りが完了したか否かを判定する処理を行う。そして、読取が完了したと判定された場合には（ステップＳ２０４＝ＹＥＳ）、ステップＳ２０５に処理を移行する。一方で、読取が完了していないと判定された場合には（ステップＳ２０４＝ＮＯ）、ステップＳ２０３に処理を移行する。
【００６５】
（ステップＳ２０５）
ステップＳ２０５において、景品読取装置３０は、景品読取情報送信処理を行う。具体的には、景品読取装置３０は、ステップＳ２０３の景品読取処理により読み取った景品情報と、景品読取装置３０の個体識別ＩＤに係る景品読取装置情報とを有する景品読取情報を防犯装置１に対して送信する処理を行う。そして、ステップＳ２０５の処理が終了すると、ステップＳ２０１に処理を移行する。
【００６６】
（防犯管理サーバ４１の処理）
次に、図７を用いて、防犯管理サーバ４１の処理について説明を行う。
【００６７】
（ステップＳ３０１）
ステップＳ３０１において、防犯管理サーバ４１は、景品読取情報を受信したか否かを判定する処理を行う。具体的には、防犯管理サーバ４１は、防犯装置１から景品読取情報を受信したか否かを判定する処理を行う。そして、景品読取情報を受信したと判定された場合には（ステップＳ３０１＝ＹＥＳ）、ステップＳ３０２に処理を移行する。一方で、景品読取情報を受信していないと判定された場合には（ステップＳ３０１＝ＮＯ）、ステップＳ３０３に処理を移行する。
【００６８】
（ステップＳ３０２）
ステップＳ３０２において、防犯管理サーバ４１は、景品読取情報記憶処理を行う。具体的には、防犯管理サーバ４１は、まず、受信した景品読取情報に含まれている店舗情報に基づいて、同一の店舗情報であって、景品読取装置情報、及び景品情報が記憶されていない記憶領域を検索する処理を行う。そして、検索できた場合には、記憶されている店舗情報、顔画像情報と紐付けて、時間情報、景品読取装置情報、及び景品情報を記憶する処理を行う。この結果、時間情報と、店舗情報と、景品読取装置情報と、景品情報と、顔画像情報とが紐付けて記憶されることとなる。
【００６９】
なお、この際に、時間情報は上書きして記憶されることとなるが、例えば、時間情報記憶領域に記憶されている時間情報と、上書きしようとしている時間情報とを比較し、この結果、所定時間以上、または所定時間よりも大きい時間の間隔が空いている場合には、エラーとすることもできる。
【００７０】
また、顔画像情報を記憶したときに記憶された時間情報と、景品読取情報に含まれている時間情報の両方を時間情報格納領域４２ａに記憶することとしてもよい。
【００７１】
一方で、検索できなかった場合には、時間情報を時間情報格納領域４２ａに記憶し、店舗情報を店舗情報格納領域４２ｂに記憶し、景品読取装置情報を景品読取装置情報格納領域４２ｃに記憶する処理を行い、景品情報を景品情報格納領域４２ｄに記憶する処理を行う。そして、ステップＳ３０２の処理が終了すると、防犯管理サーバ４１の処理を終了し、再度ステップＳ３０１から処理を行う。
【００７２】
（ステップＳ３０３）
ステップＳ３０３において、防犯管理サーバ４１は、撮影情報を受信したか否かを判定する処理を行う。具体的には、防犯管理サーバ４１は、防犯装置１から撮影情報を受信したか否かを判定する処理を行う。そして、撮影情報を受信したと判定された場合には（ステップＳ３０３＝ＹＥＳ）、ステップＳ３０４に処理を移行する。一方で、撮影情報を受信していないと判定された場合には（ステップＳ３０３＝ＮＯ）、ステップＳ３０５に処理を移行する。
【００７３】
（ステップＳ３０４）
ステップＳ３０４において、防犯管理サーバ４１は、撮影情報記憶処理を行う。具体的には、防犯管理サーバ４１は、まず、受信した撮影情報に含まれている店舗情報に基づいて、同一の店舗情報であって、顔画像情報が記憶されていない記憶領域を検索する処理を行う。そして、検索できた場合には、この店舗情報と紐付いて記憶されている時間情報、景品読取装置情報、及び景品情報と紐付けて、時間情報、及び顔画像情報を記憶する処理を行う。この結果、時間情報と、店舗情報と、景品読取装置情報と、景品情報と、顔画像情報とが紐付けて記憶されることとなる。
【００７４】
なお、この際に、時間情報は、上書きして記憶されることとなるが、例えば、時間情報記憶領域に記憶されている時間情報と、上書きしようとしている時間情報とを比較し、この結果、所定時間以上、または所定時間よりも大きい時間の間隔が空いている場合には、エラーとすることもできる。
【００７５】
また、顔画像情報を記憶したときに記憶された時間情報と、景品読取情報に含まれている時間情報の両方を時間情報格納領域４２ａに記憶することとしてもよい。
【００７６】
一方で、検索できなかった場合には、撮影情報に含まれている時間情報を時間情報格納領域４２ａに記憶し、店舗情報を店舗情報格納領域４２ｂに記憶し、撮影情報に含まれている顔画像情報を顔画像情報格納領域４２ｅに記憶する処理を行う。そして、ステップＳ３０４の処理が終了すると、ステップＳ３０５に処理を移行する。
【００７７】
（ステップＳ３０５）
ステップＳ３０５において、防犯管理サーバ４１は、情報送信要求が有るか否かを判定する処理を行う。具体的には、防犯管理サーバ４１は、防犯管理サーバ４１の外部から防犯管理ＤＢ４２の情報の送信要求があったか否かを判定する処理を行う。そして、情報送信要求が有ると判定された場合には（ステップＳ３０５＝ＹＥＳ）、ステップＳ３０６に処理を移行する。一方で、情報送信要求が無いと判定された場合には（ステップＳ３０５＝ＮＯ）、防犯管理サーバ４１の処理を終了し、再度ステップＳ３０１から処理を行う。
【００７８】
（ステップＳ３０６）
ステップＳ３０６において、防犯管理サーバ４１は、情報送信処理を行う。具体的には、防犯管理サーバ４１は、情報送信要求のあった外部に対して、防犯管理ＤＢ４２に記憶されている情報の一部、または全部を送信する処理を行う。そして、ステップＳ３０６の処理が終了すると、防犯管理サーバ４１の処理を終了し、再度ステップＳ３０１から処理を行う。
【００７９】
（防犯管理サーバ４１の情報の送信先の一例）
次に、図８を用いて、防犯管理サーバ４１の情報の送信先の一例について説明を行う。
【００８０】
防犯管理サーバ４１は、ステップＳ３０５の処理により、警視庁防犯システム５０から送信要求があると（ステップＳ３０５＝ＹＥＳ）、ステップＳ３０６の情報送信処理により、防犯管理ＤＢ４２に記憶されている情報を、警視庁サーバ５１に対して送信することとなる。これにより、以下の場合に効果を期待することができる。
【００８１】
（犯罪者が景品を売却する場合）
まず、犯罪者が景品を売却する場合について説明を行う。
【００８２】
犯罪者が遊技店で遊技を行った結果、景品を獲得したとする。そうすると、犯罪者は、獲得した景品を景品買取所に持参することとなる。そして、犯罪者は、景品を売却することとなる。
【００８３】
このとき、防犯管理ＤＢ４２には、時間情報、店舗情報、景品読取装置情報、景品情報、及び顔画像情報が記憶されることとなる。そして、防犯管理サーバ４１は、警視庁サーバ５１からの要求により、時間情報、店舗情報、景品読取装置情報、景品情報、及び顔画像情報を警視庁サーバ５１に対して送信することとなる。
【００８４】
これにより、警視庁サーバ５１は、犯罪者が景品買取所で景品を売却した時間や、景品を売却した景品買取所の場所、犯罪者の顔画像情報を取得することができるので、犯罪者を逮捕できる可能性が向上する場合がある。
【００８５】
（景品買取所が強盗被害に遭遇した場合）
次に、景品買取所が強盗被害に遭遇した場合について説明を行う。
【００８６】
景品買取所が強盗被害に遭遇した場合には、まず、撮影部２０が来客者を検出し（ステップＳ１０１）、撮影情報送信処理（ステップＳ１０３）により、防犯装置１に対して撮影結果が送信されることとなる。そして、防犯装置１は、撮影情報を受信すると（ステップＳ６＝ＹＥＳ）、撮影情報送信処理（ステップＳ８）により、防犯管理サーバ４１に対して時間情報と、店舗情報と、顔画像情報とが送信することとなる。
【００８７】
そして、景品買取所が強盗被害に遭遇していることから、景品の売却は行われず、景品読取装置３０から景品読取情報を受信することはない。このため、防犯管理ＤＢ４２には、景品読取装置情報や、景品情報は防犯管理ＤＢ４２に記憶されることはないが、時間情報と、店舗情報と、顔画像情報とが防犯管理ＤＢ４２に記憶されていれば、犯罪者を逮捕できる可能性が向上する場合がある。
【００８８】
また、時間情報と、店舗情報と、顔画像情報とが防犯管理ＤＢ４２に記憶されることとなれば、犯罪者の強盗行為に対する抑止力となるので、強盗被害に遭遇する可能性を低減させることができる。
【００８９】
（防犯装置１の設置場所）
次に、図９を用いて、防犯装置１の設置場所について説明を行う。
【００９０】
図９に示す通り、防犯装置１は、景品買取所の店内に設置されることとなる。また、景品読取装置３０は、防犯装置１と同様に、景品買取所の店内に設置されることとなる。一方で、撮影部２０は、景品買取所の店外に設置されている。より具体的には、景品買取所の窓口を撮影可能な位置に設置されている。これにより、撮影部２０は、来客者が景品買取所で景品を売却した後、振り向いて景品買取所から立ち去る際に、来客者の顔画像を撮影することができる。
【００９１】
（複数の防犯装置１と接続された防犯管理サーバ４１の一例）
次に、図１０を用いて、複数の防犯装置１と接続された防犯管理サーバ４１の一例について説明を行う。
【００９２】
防犯管理サーバ４１は、複数の景品買取所に設置されている防犯装置１と通信可能となっている。この一例として、Ａ店と、Ｂ店とを挙げて説明を行う。Ａ店は、窓口が単数の景品買取所であるのに対してＢ店は、窓口が複数設けられている景品買取所である。ここで、Ｂ店には、各窓口に対応する防犯装置１、撮影部２０、及び景品読取装置３０が設置されている。
【００９３】
これにより、Ｂ店のような窓口が複数設けられているような景品買取所であっても、窓口ごとに防犯効果を高めることができる。
【００９４】
（第２実施形態）
図１１から図１２を用いて、第２実施形態について説明する。
【００９５】
（第２実施形態における防犯装置１の処理）
まず、図１１を用いて、第２実施形態における防犯装置１の処理について説明を行う。
【００９６】
なお、第１実施形態における防犯装置１の処理と異なる処理について説明を行い、同じ処理については説明を省略する。また、第２実施形態における防犯装置１の処理は、第１実施形態における防犯装置１の処理と同一の処理であっても、処理の移行先が異なる点については、図示の通りである。
【００９７】
（ステップＳ１１）
ステップＳ１１において、ＣＰＵ６は、紐付情報生成処理を行う。具体的には、ＣＰＵ６は、計時部９により計時された時間情報と、防犯装置１に記憶されている店舗情報と、ステップＳ４の景品読取情報受信時処理により受信した景品読取情報と、ステップＳ７の撮影情報受信時処理により受信した撮影情報とを紐付ける処理を行う。これにより、時間情報と、店舗情報と、景品読取装置情報と、景品情報と、顔画像情報とを紐付けた紐付情報が生成されることとなる。そして、ステップＳ１１の処理が終了すると、ステップＳ１２に処理を移行する。
【００９８】
（ステップＳ１２）
ステップＳ１２において、ＣＰＵ６は、紐付情報送信処理を行う。具体的には、ＣＰＵ６は、ステップＳ１１の紐付情報生成処理により生成された紐付情報を防犯管理サーバ４１に対して送信する処理を行う。そして、ステップＳ１２の処理が終了すると、ステップＳ９に処理を移行する。
【００９９】
ここで、第２実施形態における防犯装置１の処理では、時間情報と、店舗情報と、景品読取装置情報と、景品情報と、顔画像情報とを紐付けた紐付情報を生成してから防犯管理サーバ４１に対して送信することとなる。これにより、防犯管理サーバ４１は、各情報を紐付ける必要がなくなるので、防犯管理サーバ４１の処理負荷を軽減することができる。
【０１００】
（第２実施形態における防犯管理サーバ４１の処理）
まず、図１２を用いて、第２実施形態における防犯装置１の処理について説明を行う。
【０１０１】
なお、第１実施形態における防犯管理サーバ４１の処理と異なる処理について説明を行い、同じ処理については説明を省略する。
【０１０２】
（ステップＳ３１１）
ステップＳ３１１において、防犯管理サーバ４１は、紐付情報を受信したか否かを判定する処理を行う。具体的には、防犯管理サーバ４１は、防犯装置１から紐付情報を受信したか否かを判定する処理を行う。そして、紐付情報を受信したと判定された場合には（ステップＳ３１１＝ＹＥＳ）、ステップＳ３１２に処理を移行する。一方で、紐付情報を受信していないと判定された場合には（ステップＳ３１１＝ＮＯ）、ステップＳ３１３に処理を移行する。
【０１０３】
（ステップＳ３１２）
ステップＳ３１２において、防犯管理サーバ４１は、紐付情報記憶処理を行う。具体的には、防犯管理サーバ４１は、防犯装置１から受信した紐付情報に基づいて、時間情報格納領域４２ａ、店舗情報格納領域４２ｂ、景品読取装置情報格納領域４２ｃ、景品情報格納領域４２ｄ、顔画像情報格納領域４２ｅに各情報を記憶する処理を行う。そして、ステップＳ３１２の処理が終了すると、防犯管理サーバ４１の処理を終了し、再度ステップＳ３１１から処理を行う。
【０１０４】
（その他変形例）
図１３から図１７を用いて、その他変形例について説明する。
【０１０５】
（防犯装置１の変形例）
次に、図１３を用いて、防犯装置１の変形例について説明を行う。
【０１０６】
図１を用いて説明した防犯装置１は、専用の装置であるのに対して、変形例における防犯装置１は、いわゆるパーソナルコンピュータを採用している。これにより、専用の装置である防犯装置１を購入することなく、例えば、パーソナルコンピュータに対して専用のソフトウェアをインストールするだけで済むので、安価で防犯装置１を導入することができる場合がある。
【０１０７】
（防犯管理ＤＢ４２の変形例）
次に、図１４を用いて、防犯管理ＤＢ４２の変形例について説明を行う。
【０１０８】
ここで、以下において、第１景品数情報格納領域４２ｆと、第２景品数情報格納領域４２ｇと、第３景品数情報格納領域４２ｈとについて説明を行う。
【０１０９】
（第１景品数情報格納領域４２ｆ）
第１景品数情報格納領域４２ｆは、買い取った第１景品の数に係る第１景品数情報を記憶するために設けられている。ここで、「第１景品」とは、「第２景品」や、「第３景品」と比較して価値の高い景品となっている。
【０１１０】
（第２景品数情報格納領域４２ｇ）
第２景品数情報格納領域４２ｇは、買い取った第２景品の数に係る第２景品数情報を記憶するために設けられている。ここで、「第２景品」とは、「第１景品」と比較して価値の低い景品であって、「第３景品」と比較して価値の高い景品となっている。
【０１１１】
（第３景品数情報格納領域４２ｈ）
第３景品数情報格納領域４２ｈは、買い取った第３景品の数に係る第３景品数情報を記憶するために設けられている。ここで、「第３景品」とは、「第１景品」や、「第２景品」と比較して価値の低い景品となっている。
【０１１２】
図３を用いて説明した防犯管理ＤＢ４２は、景品情報格納領域４２ｄが買い取った景品に係る情報を記憶している。具体的には、景品ごとに付されている固有の識別番号を記憶している。このため、例えば、景品買取所が買い取った景品の数が多ければ多い程、防犯管理ＤＢ４２に記憶されるデータ量が大きくなってしまうという問題点がある。
【０１１３】
これに対して、変形例における防犯管理ＤＢ４２は、景品ごとではなく、交換ごとに防犯管理ＤＢ４２の景品情報記憶領域に記憶することとしている。
【０１１４】
例えば、「Ｎｏ．０００００００１」には、時間情報である「２０１９／０１／０１  １１：３０」と、店舗情報である「Ａ店」と、景品読取装置情報である「０００００００１」と、第１景品数情報である「３」と、第２景品数情報である「１」と、第３景品数情報である「２」と、顔画像情報である「０００００００１．ｊｐｇ」とが紐付いて記憶されている。
【０１１５】
これにより、交換ごとに防犯管理ＤＢ４２に各情報を記憶することができるので、防犯管理ＤＢ４２に記憶されるデータ容量を削減することができる。
【０１１６】
なお、防犯管理ＤＢ４２は、交換ごとに第１景品数情報格納領域４２ｆと、第２景品数情報格納領域４２ｇと、第３景品数情報格納領域４２ｈとに紐付けて、景品ごとに付されている固有の識別番号を記憶することとしてもよい。
【０１１７】
この場合においても、顔画像情報格納領域４２ｅに同一の顔画像情報を複数記憶する必要がなくなるので、防犯管理ＤＢ４２に記憶されるデータ容量を削減することができる。
【０１１８】
（防犯装置１の設置場所の変形例）
次に、図１５を用いて、防犯装置１の設置場所の変形例について説明を行う。
【０１１９】
図９において、防犯装置１は、景品買取所の店内に設置されており、撮影部２０は、景品買取所の店外に設置されている。しかしながら、例えば、景品買取所が閉店である場合においては、防犯装置１の電源がＯＦＦとなっている可能性がある。このため、撮影部２０が破壊されてしまうと、防犯管理サーバ４１に対して顔画像情報を送信することができなくなるという問題点がある。
【０１２０】
これに対して、図１５に示すように、撮影部２０を景品買取所の店内に設置することもできる。具体的には、撮影部２０は、景品買取所の窓口の正面に立っている来客者の顔画像を撮影可能な位置に設置される。より具体的には、図１５に示す通り、景品買取所の一部に透過部を設け、この透過部に接して、撮影部２０のレンズが設けられている。これにより、撮影部２０が破壊されてしまう可能性を低減することができる。
【０１２１】
また、図９に示す通り、撮影部２０が景品買取所の窓口を撮影可能な位置に設置されていると、例えば、売却者が振り向かずに景品買取所から立ち去った場合に、売却者の顔画像を撮影できない可能性がある。
【０１２２】
これに対して、図１５に示すように、撮影部２０が景品買取所の窓口の正面に立っている来客者の顔画像を撮影可能な位置に設置されることで、売却者の顔画像を撮影できないという事態を防ぐことができる。
【０１２３】
（複数の防犯装置１と接続された防犯管理４１サーバの第１変形例）
次に、図１６を用いて、複数の防犯装置１と接続された防犯管理サーバ４１の第１変形例について説明を行う。
【０１２４】
図１０において、防犯管理サーバ４１は、複数の防犯装置１と通信することとなっているが、図１６に示すように、景品買取所の窓口が複数ある場合においては、防犯管理サーバ４１と防犯装置１とが直接通信するのではなく、防犯装置１と、中継装置６０が通信を行うこととすることもできる。
【０１２５】
この場合において、中継装置６０は、各防犯装置１が設置される景品買取所の店舗情報を記憶することとすれば、防犯装置１を更に簡易な構成とすることができる。
【０１２６】
（複数の防犯装置１と接続された防犯管理４１サーバの第２変形例）
次に、図１７を用いて、複数の防犯装置１と接続された防犯管理サーバ４１の第２変形例について説明を行う。
【０１２７】
図１０において、防犯管理サーバ４１は、複数の窓口それぞれに設置された防犯装置１と通信可能となっているが、図１７に示すように、一の防犯装置１に対して、複数の撮影部２０や、景品読取装置３０が接続され、一の防犯装置１が防犯管理サーバ４１と通信可能に設置されることとしてもよい。
【０１２８】
これにより、防犯装置１を設置する数を削減することができるので、防犯装置１の設置コストを削減することができる。
【０１２９】
（防犯管理サーバ４１の情報の送信先の変形例）
次に、図１８を用いて、防犯管理サーバ４１の情報の送信先の変形例について説明を行う。
【０１３０】
図８で説明したように、防犯管理サーバ４１の情報の送信先の一例として、警視庁サーバ５１を例示したが、図１８に示す通り、会員端末に対して送信することもできる。この場合において、防犯管理サーバ４１は、防犯管理ＤＢ４２に記憶されている各情報をそのまま送信することとしてもよいし、例えば、時間情報、店舗情報、及び顔画像情報等の一部の情報のみを送信することとしてもよい。
【０１３１】
また、会員から支払われる料金に応じて送信する情報を変更することとしてもよい。例えば、会員から支払われる料金が第１の料金である場合には、第１の情報量（例えば、時間情報、店舗情報、顔画像情報）を送信することとし、会員から支払われる料金が第１の料金よりも高額である第２の料金である場合には、第１の情報量よりも多い情報量である第２の情報量（例えば、時間情報、店舗情報、景品読取装置情報、景品情報、顔画像情報）を送信することとしてもよい。
【０１３２】
また、顔画像情報格納領域４２ｅに記憶されている顔画像情報に基づいて、年齢や性別を解析し、解析の結果を送信することとしてもよい。ここで、顔画像情報に基づく年齢や性別の解析は、防犯管理サーバ４１ではなく、撮影部２０により行うこととしてもよい。
【０１３３】
このように、本発明によれば、防犯装置１は、景品読取装置３０から景品読取情報を受信する。また、防犯装置１は、撮影部２０から撮影情報を受信する。そして、防犯装置１は、景品読取装置３０から受信した景品読取情報と、撮影部２０から受信した撮影情報を外部に送信する処理を行う。これにより、強盗により現金が盗まれてしまった場合に、強盗に係る情報を提供することが可能な防犯装置、及び防犯システムを提供することができる。
【０１３４】
（請求項１に係る発明）
請求項１に係る発明は、景品を読み取る景品読取装置（例えば、景品読取装置３０）から景品読取情報を受信する処理を行う景品読取情報受信手段（例えば、ステップＳ４の処理を行うＣＰＵ６）と、前記景品を売却する売却者を撮影する撮影装置（例えば、撮影部２０）から撮影情報を受信する処理を行う撮影情報受信手段（例えば、ステップＳ６の処理を行うＣＰＵ６）と、前記景品読取情報受信手段により受信した前記景品読取情報を外部に送信する処理を行う景品読取情報送信手段（例えば、ステップＳ５の処理を行うＣＰＵ６）と、前記撮影情報受信手段により受信した前記撮影情報を外部に送信する処理を行う撮影情報送信手段（例えば、ステップＳ８の処理を行うＣＰＵ６）と、を備えたことを特徴とする防犯装置である。
【０１３５】
（請求項２に係る発明）
請求項２に係る発明は、景品を読み取る景品読取装置（例えば、景品読取装置３０）から景品読取情報を受信する景品読取情報受信手段（例えば、ステップＳ４の処理を行うＣＰＵ６）と、前記景品を売却する売却者を撮影する撮影装置（例えば、撮影部２０）から撮影情報を受信する撮影情報受信手段（例えば、ステップＳ６の処理を行うＣＰＵ６）と、前記景品読取情報受信手段から受信した前記景品読取情報と、前記撮影情報受信手段から受信した前記撮影情報とを紐付けることにより紐付情報を生成する処理を行う紐付情報生成手段（例えば、ステップＳ１１の処理を行うＣＰＵ６）と、前記紐付情報生成手段により生成された前記紐付情報を外部に送信する処理を行う紐付情報送信手段（例えば、ステップＳ１２の処理を行うＣＰＵ６）と、を備えたことを特徴とする防犯装置である。
【０１３６】
（請求項３に係る発明）
請求項３に係る発明は、景品を読み取る景品読取装置（例えば、景品読取装置３０）と、前記景品を売却する売却者を撮影する撮影装置（例えば、撮影部２０）と、前記景品読取装置が前記景品を読み取ることにより生成される景品読取情報と、前記撮影装置が前記売却者を撮影することにより生成される撮影情報とを受信する防犯装置（例えば、防犯装置１）と、前記防犯装置から受信した前記景品読取情報と、前記撮影情報とを記憶するサーバ（例えば、防犯管理サーバ４１）と、を備えた防犯システムであって、前記サーバは、前記防犯装置から受信した前記景品読取情報と、前記撮影情報とを紐付けて記憶する処理を行うことを特徴とする防犯システムである。
【０１３７】
（請求項４に係る発明）
請求項４に係る発明は、景品を読み取る景品読取装置（例えば、景品読取装置３０）と、前記景品を売却する売却者を撮影する撮影装置（例えば、撮影部２０）と、前記景品読取装置が前記景品を読み取ることにより生成される景品読取情報と、前記撮影装置が前記売却者を撮影することにより生成される撮影情報とを受信する防犯装置（例えば、防犯装置１）と、前記防犯装置から受信した前記景品読取情報と、前記撮影情報とを記憶するサーバ（例えば、防犯管理サーバ４１）と、を備えた防犯システムであって、前記防犯装置は、前記景品読取装置から受信した前記景品読取情報と、前記撮影装置から受信した前記撮影情報とを紐付けることにより紐付情報を生成する処理を行ってから、前記サーバに対して前記紐付情報を送信する処理を行うことを特徴とする防犯システムである。
【０１３８】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【０１３９】
１            防犯装置
２            表示部
３            操作部
４            電源部
５            制御部
６            ＣＰＵ
７            ＲＯＭ
８            ＲＡＭ
９            計時部
２０          撮影部
３０          景品読取装置
４０          防犯管理システム
４１          防犯管理サーバ
４２          防犯管理ＤＢ
４２ａ        時間情報格納領域
４２ｂ        店舗情報格納領域
４２ｃ        景品読取装置情報格納領域
４２ｄ        景品情報格納領域
４２ｅ        顔画像情報格納領域
４２ｆ        第１景品数情報格納領域
４２ｇ        第２景品数情報格納領域
４２ｈ        第３景品数情報格納領域
５０          警視庁防犯システム
５１          警視庁サーバ
５２          警視庁ＤＢ
６０          中継装置
７０          会員端末
【図１】
2020182678.tif 000003
【図２】
2020182678.tif 000004
【図３】
2020182678.tif 000005
【図４】
2020182678.tif 000006
【図５】
2020182678.tif 000007
【図６】
2020182678.tif 000008
【図７】
2020182678.tif 000009
【図８】
2020182678.tif 000010
【図９】
2020182678.tif 000011
【図１０】
2020182678.tif 000012
【図１１】
2020182678.tif 000013
【図１２】
2020182678.tif 000014
【図１３】
2020182678.tif 000015
【図１４】
2020182678.tif 000016
【図１５】
2020182678.tif 000017
【図１６】
2020182678.tif 000018
【図１７】
2020182678.tif 000019
【図１８】
2020182678.tif 000020